Podtech/llm-jp-corpus-v4-ja_patent huggingface dataset:
(57)【要約】      （修正有）【課題】タオルとともに各種袋体が掛けることができ、病室の床頭台等において便利に使用される物品装着具を提供する。【解決手段】面状形態で、表面にタオル掛け棒４と袋掛け片６とが回転により起倒可能に設けられ、タオル掛け棒４の回転軸体が袋掛け片６の回転軸体と兼用される。【選択図】図３
0003213068.tif 000002
【実用新案登録請求の範囲】
【請求項１】
面状形態で、表面にタオル掛け棒と袋掛け片とが設けられてなることを特徴とする物品装着具。
【請求項２】
前記タオル掛け棒と前記袋掛け片とが回転により起倒可能に設けられ、前記タオル掛け棒の回転軸体が前記袋掛け片の回転軸体に兼用される請求項１記載の物品装着具。
【請求項３】
前記袋掛け片が前記タオル掛け棒の両端の外側近傍のそれぞれに設けられている請求項１または２記載の物品装着具。
【請求項４】
床頭台の側面に取り付け使用される請求項１、２または３記載の物品装着具。
【考案の詳細な説明】
【技術分野】
【０００１】  この考案は、病院の床頭台等に取り付け使用される物品装着具に関する。
【背景技術】
【０００２】  最近においては、病院内にコンビニエンスストアが設けられている場合が多く、患者が自ら、また、見舞客がそのコンビニエンスストアを広く利用している。コンビニエンスストアは販売物品をプラスチックシートよりなる袋に入れて商品を提供するが、病室においてすぐに商品を出さず袋に入れている場合にはその袋の置き場所に困る問題があった。そこで、例えば床頭台にフックを取り付けてそれに袋を掛けするようにしているが、フックの取り付けに手間がかかり、また、取り外した際に取り付け跡が残るので病院の備品である床頭台にフックを取り付けることに問題があった。
【考案の概念】
【考案が解決しようとする課題】
【０００３】  この考案は上記の事情に鑑みて行ったもので、タオルとともに各種袋体が掛けることができ、病室の床頭台等において便利に使用される物品装着具を提供することを目的とする。
【課題を解決するための手段】
【０００４】  この考案では、面状形態で、表面にタオル掛け棒と袋掛け片とが設けられてなる物品装着具を提供する
【０００５】  この考案の物品装着具は、タオル掛け棒とともに袋掛け片が設けられていることで、タオルがかけられるとともに、コンビニエンスストアの販売に使用される袋等が別途フック等を取り付けることなく掛けることができる。病院においてはタオル掛け棒が床頭台等に予め取り付けられている場合が多く、そのタオル掛け棒と一体に袋掛け片を備えるこの物品装着具が床頭台等に予め取り付けられることで、支障なく便利に使用される。
【０００６】  タオル掛け棒と袋掛け片とが回転により起倒可能に設けられ、タオル掛け棒の回転軸体が袋掛け片の回転軸体に兼用される構成とされることで、タオル掛け棒と袋掛け片とは非使用時には起状態とされることで表面から突出しない状態とでき、タオル掛け棒と袋掛け片が当たったり引っかかったりすることがなく、また、製品搬送の際の取り扱いも容易になされる。くわえて、回転軸体が兼用されることで、組み立てが容易になされるとともに安価に提供される。
【０００７】  袋掛け片がタオル掛け棒の両端の外側近傍のそれぞれに設けられていることで、２個の袋体を掛けることができ、また、選択的に１個の袋掛け片を使用でき便利である。
【０００８】  物品装着具は病室の床頭台の側面に取り付け使用されることで、きわめて便利に用いられる。
【考案の効果】
【０００９】  この考案の物品装着具を病室の床頭台等に取り付けて使用することで、タオルを掛けることができるとともに、コンビニエンスストアの販売に使用される袋等が別途フック等を取り付けることなく掛けることができ便利である。
【図面の簡単な説明】
【００１０】
【図１】  この考案の物品装着具の実施例の前面図
【図２】  この考案の物品装着具の実施例の平面図
【図３】  この考案の物品装着具の実施例の使用状態図
【図４】  この考案の物品装着具の実施例の要部説明図
【考案を実施するための形態】
図１はこの考案の物品装着具の実施例の前面図、図２は同平面図、図３は同使用状態図、図４は同要部説明図である。
【００１１】  物品装着具１は横長の長方形の面状形態で、プラスチックプレートよりなる台板２の表面３の中央に横方向に金属製のタオル掛け棒４が凹所８内に納められて設けられ、さらに、タオル掛け棒４の両端の外側近傍のそれぞれにプラスチックス製の縦長の袋掛け片６のそれぞれが台板２の表面３と面一に納められて設けられている。１５のそれぞれは取り付け用のネジ穴である。上記袋掛け片６の裏面上部には袋掛け凸部５が、表面下部には指係止凸条７がそれぞれ設けられている。
【００１２】  タオル掛け棒４と袋掛け片６とは回転により起倒可能に設けられ、ともに前方への倒状態において台板２の表面３から突出する位置において使用される。図４に示すように、タオル掛け棒４の一方端部と一方の袋掛け片６とはそれぞれの基部４ａ、６ａが１本の回転軸体１１によって軸支されている。組み立てに際して、タオル掛け棒４の端面には板バネ１０が当接配置され、袋掛け片６の軸支穴にはコイルバネ１２が装着配置され、これらバネによりタオル掛け棒４と袋掛け片６とはともに起状態となり、台板２の表面３から突出しない位置となるように付勢されている。この起状態となることで、非使用時においてタオル掛け棒４と袋掛け片６が当たったり引っかかったりすることがなく、また、製品搬送の際の取り扱いも容易になされる
【００１３】  物品装着具１は、例えば、図３に示すように、病室の床頭台１００の一方の側面に取り付け使用され、前方への倒状態とされたタオル掛け棒４にタオル１０１がかけられ、前方へ傾斜する倒状態とされた一方の袋掛け片６に袋１０２の持ち手部分が掛けられている。タオル掛け棒４は指かけ凹所９において指がかけられ板バネ１０のばね力に抗して倒状態とされ、袋掛け片６は指係止凸条７に指が当てられコイルバネ１２のばね力に抗して押さて倒状態とされる。その際、袋掛け片６は指係止凸条７があることで押しやすく、また、袋掛け凸部５があることで袋１０２が安定して掛けられる。袋掛け片６は両方のものが同時に使用されてもよく、また、袋以外のものが掛けられて使用されてもよい。
【符号の説明】
【００１４】１    物品装着具
２    台板
４    タオル掛け棒
６    袋掛け片
１１  回転軸体
【図１】
0003213068.tif 000003
【図２】
0003213068.tif 000004
【図３】
0003213068.tif 000005
【図４】
0003213068.tif 000006
(57)【要約】      （修正有）【課題】コンパクトに構成することで、使いやすい整形裁断器を提供する。【解決手段】シート整形裁断器は、カッターの刃のガイドとなり、所定の大きさで整形されたガイド板１０と、ガイド板の外形より大きい外形で形成され、ガイド板の下に配置され、カッターの刃の下敷きとなる下敷板２０と、を備える。ガイド板と下敷板には、重ね合わせた状態で、互いに対抗し、互いに引き合う複数の永久磁石３０が、それぞれ埋め込まれている。【選択図】図１
0003213001.tif 000002
【実用新案登録請求の範囲】
【請求項１】
カッターの刃のガイドとなり、所定の大きさで整形されたガイド板と、
ガイド板の外形より大きい外形で形成され、ガイド板の下に配置され、カッターの刃の下敷きとなる下敷板と、を備え、
ガイド板と下敷板は、重ね合わせた状態で、互いに対抗し、互いに引き合う複数の永久磁石が、それぞれ埋め込まれているシート整形裁断器。
【考案の詳細な説明】
【技術分野】
【０００１】
本考案は、シート整形裁断器に関する。
【背景技術】
【０００２】
従来、ほぼ同系、同寸法の二枚の四角形プラスチック平板を備え、そのプラスチック平板の少なくとも一方は、該二枚のプラスチック平板を重ねた状態でその周縁の少なくとも三箇所の各位置で相異なる極性の磁極対が相対向するように該二枚のプラスチック平板の一方と他方に複数の永久磁石が埋め込み配置され、前記少なくとも三箇所で前記磁極間の吸引力により前記二枚の四角形プラスチックの前記重ね合わせの状態が維持されて、該二枚のプラスチック平板間に介在せしめた所望のシートが当該二枚の四角形プラスチック平板間に前記所望のシートの周縁部がはみ出した状態で保持されるように構成されたシートホルダーと該シートホルダーを搭載する平坦表面を有する搭載台と、その搭載台の前記平坦平面に該シートホルダーを搭載した状態で前記シートホルダーの前記二枚の四角形プラスチック平板間に前記所望のシートの周縁部がはみ出した状態で保持された前記所望のシートの前記は乱した状態の周縁部を該二枚の四角形プラスチック平板の端面に沿って整形裁断するために下刃の刃のレベルが前記シートのはみ出した状態の周縁部のレベルに一致するように該塔載台に取り付けられた裁断刃とを備えたシートホルダーを用いるシートの整形裁断装置が特許文献１で提案されてる。
【先行技術文献】
【特許文献】
【０００３】
【特許文献１】特許第２８７９０３２号公報
【考案の概要】
【考案が解決しようとする課題】
【０００４】
しかしながら、特許文献１のシートの整形裁断装置は、二枚のプラスチック平板を備えるシートホルダーに加え、搭載台が必要であった。搭載台は比較的大きいため、持ち運びや設置場所の制約があった。
【０００５】
本考案はコンパクトに構成することで、使いやすい整形裁断器を提供することを目的とする。
【課題を解決するための手段】
【０００６】
カッターの刃のガイドとなり、所定の大きさで整形されたガイド板と、ガイド板の外形より大きい外形で形成され、ガイド板の下に配置され、カッターの刃の下敷きとなる下敷板と、を備え、ガイド板と下敷板は、重ね合わせた状態で、互いに対抗し、互いに引き合う複数の永久磁石が、それぞれ埋め込まれているシート整形裁断器。
【考案の効果】
【０００７】
本考案によれば、コンパクトに構成することで、使いやすい整形裁断器を提供できる。
【図面の簡単な説明】
【０００８】
【図１】本考案のシート整形裁断器の斜視図である。
【図２】本考案のシート整形裁断器の下敷板からガイド板を離した状態の斜視図である。
【図３】本考案のシート整形裁断器のガイド板の別例を示すものである。
【考案を実施するための形態】
【０００９】
カッターの刃のガイドとなり、所定の大きさで整形されたガイド板１０と、ガイド板１０の外形より大きい外形で形成され、ガイド板１０の下に配置され、カッターの刃の下敷きとなる下敷板２０と、を備え、ガイド板１０と下敷板２０は、重ね合わせた状態で、互いに対抗し、互いに引き合う複数の永久磁石３０が、それぞれ埋め込まれているシート整形裁断器１。
【００１０】
シート整形裁断器１は、ガイド板１０と下敷板２０との間に置いたシート４０を、互いに引き合う複数の永久磁石３０が埋め込まれた板に挟み固定し、シート５０をカットする。
【００１１】
シート整形裁断器１のガイド板１０は、証明写真等絵柄を重視するカットには透明素材、例えばプラスチック等の合成樹脂が適当であるが、カットするシートの絵柄等あえて特定しない場合であれば透明素材に拘らない。
【００１２】
シート整形裁断器１の下敷板２０は、プラスチック等の合成樹脂素材や木材等平面素材であれば可能である。
【００１３】
複数の永久磁石３０の互いに引き合う力で、ガイド板１０と下敷板２０は固定され、所望のシート４０のシートの周縁部がはみ出した状態で保持されるように構成され、ガイド板１０の淵に沿って刃を移動、カットしていくため正確性と共にカットもしやすい。
【００１４】
図３に示すように、ガイド板１０は、任意の形状に形成可能である。これにより、シートを、適度な厚さであれば、紙は勿論、布をも、四角形や丸みを持つ辺を有する形状に、カットすることも可能となる。
【００１５】
例えば、証明写真の場合、運転免許証サイズ、履歴書サイズ、パスポートサイズ等、顔写真の大きさが異なる。必要に応じ、その都度、高価な本体と刃とが一体の証明写真カッターを買い揃えねばならない。
【００１６】
運転免許証サイズ、履歴書サイズ、パスポートサイズ用、等の顔写真を撮影した後、これらの証明写真をカットするカッターは幾種類も市販されている。レバーを手で押す、又は握る力でカット、所定の形に打ち抜くタイプのトリミングカッター、所望の形の大きさの刃の部分のみ交換し使うタイプ、いずれも本体と刃が一体又は一対となるため、使う頻度によって刃が痛み、カットに支障をきたし、買い換えを余儀なくさせられる。
この種のカッターは、構造が複雑、且つ刃の材質にも拘らねばならず、その分高価である。
【００１７】
円を描きながら、紙や布がカット出来るロータリーカッター、市販されているが、紙や布を押さえ付け圧着してる構造ではない為、特に布を切ろうとすると、よれて切りづらさが起こり得る。
【００１８】
本体と刃が一体のものは、刃が切れなくなった場合、全体を買い換えねばならないが、本シート整形裁断器で用いるカッターは、入手が簡単且つ低価格、一般家庭で軽作業のカットによく使用されるカッターを用いてもよいため、手軽である。
【符号の説明】
【００１９】
１  シート整形裁断器
１０  ガイド板
２０  下敷板
３０  永久磁石
４０  シート
【図１】
0003213001.tif 000003
【図２】
0003213001.tif 000004
【図３】
0003213001.tif 000005
(57)【要約】      （修正有）【課題】冠婚用めで鯛形状の赤飯を提供する。【解決手段】赤飯を自在に取出しできる合成樹脂性で横長形の鯛形型枠において、前記鯛形型枠内に、頭部と尾部を形化した鯛形状型体を設け、該型体内に赤飯３を入れ形成し、該赤飯を自在に取出し、鯛形状の赤飯４が形成されて、美的効果のある食材を提供することができ、冠婚用のめで鯛化した食品の商品化に役立つ。【選択図】図２
0003213048.tif 000002
【実用新案登録請求の範囲】
【請求項１】
赤飯を自在に取出しできる合成樹脂性で横長方形の鯛形型枠において、前記鯛形型枠（１）内に頭部と尾部を形化した鯛形状型体（２）を設け、該型体内に赤飯（３）を入れ形成し、該赤飯を自在に取出し、該鯛形状化の赤飯体（４）が形成された、冠婚用めで鯛形状化の赤飯体。
【請求項２】
鯛形状体（４）は、鯛形状である実用新案登録請求範囲第１項記載の、冠婚用めで鯛形状化の赤飯体。
【考案の詳細な説明】
【技術分野】
【０００１】本考案は、赤飯を鯛形状化させ、美的で見える化した冠婚用のめで鯛形状化の赤飯体に関する。
【背景技術】
【０００２】従来、赤飯の販売方法としては、主に店頭売りや菓子屋などで、パックでグラム売りや、受注文で販売されている。【０００３】その他は、コンビニエンスストアや、小売りなどでは、おにぎりや、赤飯まんじゅうなどとして売られている。【０００４】赤飯はもともと慶び事、晴れの日に食べる、日本の和食の中でも立派な古い伝統料理である。【０００５】目出たい時に食べる食材としては、最高の一品である。【０００６】赤飯を、魚の鯛として美的に形状化した赤飯体が要望されていた。
【考案の概要】
【考案が解決しようとする課題】
【０００７】従って、食の多様性の中で、日本の伝統文化食である赤飯を、美的に形化し、日本食の美を意識したものがなかった。
本考案は、上記の要望に応えるために考案をした。
【課題を解決するための手段】
【０００８】赤飯を自在に取出しができる合成樹脂性で、横長方形の鯛形型枠において、前記鯛形型枠内に鯛の頭部と尾部を形化した鯛形状型体を設け、該型体内に赤飯を入れ形成し、該赤飯を自在に取出し、該鯛形状化の赤飯体が形成される。前記赤飯体は、冠婚用めで鯛形状化の赤飯体により要望に応えた。
【考案の効果】
【０００９】以上述べたように、日本伝統文化食のひとつである赤飯を美的な鯛を形成化させることによって、鯛形状の赤飯体ができ、優れた商品化となる。【００１０】また、赤飯体を形化することによって、鯛の美食好感度が高く、好イメージの相乗効果がある。【００１１】新しい販路と、食飯店のテーブルに乗せることもできる。贈答品としても最適と考えられる。また、用途が拡大できる効果がある。
【図面の簡単な説明】
【００１２】
【図１】  本考案の鯛の形体型枠の説明図である。
【図２】  本考案の鯛形状赤飯体の説明図である。
【考案を実施するための形態】
【００１３】本考案の一実施例について図に従い以下に構成、作用、効果を説明する。
赤飯を自在に取出しができる合成樹脂性で横長方形の鯛形型枠において、前記鯛形型枠（１）内に頭部と尾部を形化した鯛形状型体（２）を設け、該型体内に赤飯（３）を入れ形成し該赤飯を自在に取出し、該鯛形状化の赤飯体（４）が形成された、本考案の冠婚用のめで鯛形状化の赤飯体である。
【００１４】前記したように鯛形状化の赤飯体（４）を形成の形型枠（１）は、合成樹脂性を用いて、加工を容易にした。
【００１５】該型枠体内に仕込む赤飯は、小豆と糯米を混ぜて蒸した飯を該型体に入れ形化する。美的形態の赤飯体（４）が完成する効果がある。
【符号の説明】
【００１６】１  鯛形型枠
２  鯛形状型体
３  赤飯
４  鯛形状化赤飯体
【図１】
0003213048.tif 000003
【図２】
0003213048.tif 000004
【手続補正書】
【提出日】平成29年7月29日(2017.7.29)
【手続補正１】
【補正対象書類名】実用新案登録請求の範囲
【補正対象項目名】全文
【補正方法】変更
【補正の内容】
【実用新案登録請求の範囲】
【請求項１】
赤飯を自在に取出しできる合成樹脂性で横長形の鯛形型枠において、前記鯛形型枠（１）内に頭部と尾部を形化した鯛形状型体（２）を設け、該型体内に赤飯（３）を入れ形成し、該赤飯を自在に取出し、鯛形状の赤飯（４）が形成して成る冠婚用めで鯛形状の赤飯。
【請求項２】
鯛形状の赤飯（４）は、鯛形状である請求項１に記載の冠婚用めで鯛形状の赤飯。
(57)【要約】      （修正有）【課題】多数のカード類を収納出来、又、目的のカードをすぐに取り出せ、お札、小銭、以外に、通帳、パスポート、金封、スマホや、裁縫用具、薬、絆創膏等の細々とした物も収納出来、日本貨幣、外国貨幣両方を区別して収納出来る財布を提供する。【解決手段】透明な窓を持つカードポケットを横向き三段に並べたシート複数枚をノート状に仕立て、これらをカバーする表紙状の内側にそれぞれ複数のポケットを設け、又、その外側にファスナー式の小銭収納が設けられている。財布の開閉にベルト差込式、バックル式、又は、ラウンドファスナー式の開閉方法を用いた。【選択図】図１
0003213046.tif 000002
【実用新案登録請求の範囲】
【請求項１】
透明な窓を持つカードポケットを横向き三段に並べシートにした。このシート複数枚をノート状に仕立て、これらをカバーする「図１」の（Ｄ）（Ｅ）の内側にそれぞれ複数のポケットを設けた。又、（Ｅ）の外側にファスナー式の２口に分かれた小銭収納が設けられているのを特徴とする財布。
【請求項２】
この財布の開閉方法は（図１）のベルト差込式以外にバックル式、又、ラウンドファスナー式等も考えられる。
【請求項３】
請求項２  の財布に持ち手やショルダーベルト等を付けて手提げ式やショルダー式にする事も考えられる。
【考案の詳細な説明】
【技術分野】
【０００１】本考案はお札、小銭、カードだけでなく多目的な収納ができる財布に関するものである。
【背景技術】
【０００２】近年、個人の持つカード保有枚数が増大してきた。それに伴い、最近ではカード収納付財布もより多くのカードが収まる様になってきている。
【考案の概要】
【考案が解決しようとする課題】
【０００３】しかし、多くは収納されているカードの一部分しか見えないため、収納枚数が増えるほど、必要なカードを見つけるのは容易ではない。【０００４】又、通帳、印鑑、パスポート、金封等もお札、カードと同様、財布に収納しておきたい貴重品である。又、女性ならば鏡、裁縫用具（縫い針、縫い糸等）、や薬、絆創膏、スペアキー、お守り等、細々した必需品も財布に収まれば便利であるが、それらを満たしてくれる財布はない。【０００５】又、海外旅行をする場合、日本のお札と小銭、外国のお札と小銭とを区別する必要があるため、別に財布を用意する必要があった。
【課題を解決するための手段】
【０００６】本考案は透明な窓を持つカードポケットを横向き三段に並べシートにした。このシートを複数枚ノート状に仕立てこれらをカバーする「図１」の（Ｄ）（Ｅ）の内側にそれぞれ複数段のポケットを設けた。又、（Ｅ）の外側にファスナー式の２口に分かれた小銭収納をを設けた。
【考案の効果】
【０００７】本考案の財布は買物時、容易にお札、小銭、クレジットカード、ポイントカード等が、容易に出し入れできる。
カードポケットには、運転免許証、各種資格証、診察券等の多くのカードの他、裁縫用具（縫い針、縫糸等）、鏡、薬、絆創膏、スペアキー等細々した物が納まり、ノート状になっている事と透明なので容易に目的物を見つけられる。
又、カバー（Ｄ）（Ｅ）の内側にそれぞれ複数段あるポケットには通帳、パスポートスマホ等が収納出来、又、カードポケットが、横向き三段に並んでいるノート状のシートの間には、しおりを挟む様に金封、携帯うちわ、マスク等を挟んで収納する事が出来る等、収納用途の広い財布である。
【図面の簡単な説明】
【０００８】
【図１】財布を開いた状態
【図２】図１の（Ａ）を開いた状態
【図３】図１の（Ｂ）を開いた状態とカード等を差し入れる方向
【図４】図１の（Ｃ）を開いた状態
【図５】図１の（Ｄ）を上にした参考図
【図６】図１の（Ｅ）を上にした参考図
【考案を実施するための形態】
【０００９】財布という物品なので小型である事を損なわずに利便性を実現した。
【実施例１】
【００１０】横向き三段にカードポケットを並べたサイズで構成する事により、お札だけでなく、通帳、パスポート、金封、スマホ等のサイズでも収納可能とした。【００１１】カードポケットを透明窓付にする事で納められているカード、小物が一目瞭然に分かり、又、ノート状にする事で必要なカードを見つけ易い。【００１２】ノート状のカードポケットをカバーする（Ｄ）（Ｅ）の内側それぞれに複数段のポケットを備える事でお札、通帳、パスポート、スマホ等の収納を可能にし、又、外国紙幣との区別収納も出来る。【００１３】カバー（Ｅ）の外側ファスナー式の小銭収納を備える事により、容易に小銭の出し入れが出来、又、２口にわかれているので日本銭と外国銭との」区別も出来、又、印鑑を納める事も出来る。
【図１】
0003213046.tif 000003
【図２】
0003213046.tif 000004
【図３】
0003213046.tif 000005
【図４】
0003213046.tif 000006
【図５】
0003213046.tif 000007
【図６】
0003213046.tif 000008
【手続補正書】
【提出日】平成29年7月5日(2017.7.5)
【手続補正１】
【補正対象書類名】実用新案登録請求の範囲
【補正対象項目名】全文
【補正方法】変更
【補正の内容】
【実用新案登録請求の範囲】
【請求項１】
透明な窓を持つカードポケットを横向き三段に並べたシート複数枚をノート状に仕立て、これらをカバーする表紙状の内側にそれぞれ複数のポケットを設け、又、その外側にファスナー式の小銭収納が設けられているのを特徴とする多目的収納財布。
【請求項２】
前記財布の開閉にベルト差込式、バックル式、又は、ラウンドファスナー式の開閉方法を用いた事を特徴とする請求項１に記載の多目的収納財布。
【請求項３】
前記財布に持ち手又は、ショルダーベルトを取り付け、手提げ式又は、ショルダー式にした事を特徴とする請求項１に記載の多目的収納財布。
(57)【要約】      （修正有）【課題】断面が円形の棒に、着脱式で棒状物または棒状物の取り付け部を簡単に素早く且つ強固に取り付け出来、取り付け位置を簡単に素早く変えることが出来、取り付けたまま棒の外周に密接して回転出来、手を離すと位置、角度が保持され保持力が強い、棒状物または棒状物の取り付け部付きクリップを提供する。【解決手段】クリップは、目玉クリップまたはダブルクリップの挟み口１、挟み口の二枚の金属板を繋ぐ部分の金属板、レバーの何れかの一部位が延ばされて棒状物３になっている。または、目玉クリップのレバーを延長して棒状物３を取り付ける棒状物の取り付け部２を有する。【選択図】図２
0003213047.tif 000002
【実用新案登録請求の範囲】
【請求項１】
形状の一部が棒状物または棒状物の取り付け部になっているクリップであって、目玉クリップまたはダブルクリップの挟み口、挟み口の二枚の金属板を繋ぐ部分の金属板、レバーのいずれかの一部位を延ばして棒状物とした、形状の一部が棒状物になっている棒状物付き目玉クリップ、またはダブルクリップまたは形状が類似なクリップ。
【請求項２】
形状の一部が棒状物または棒状物の取り付け部になっているクリップであって、目玉クリップのレバーの一部位を延長して棒状物の取り付け部（伸長式での取り付け部を含む）とした、形状の一部が棒状物の取り付け部になっている、棒状物の取り付け部付き目玉クリップまたは形状が類似なクリップ。
【考案の詳細な説明】
【技術分野】
【０００１】考案は断面が円形の棒に棒状物を取り付けるための用具で、断面が円形の棒を強固に掴むように挟むことが出来る挟み口を持つ目玉クリップ、またはダブルクリップでクリップの形状の一部を棒状物とした棒状物付きクリップまたは目玉クリップの形状の一部を棒状物を取り付ける棒状物の取り付け部（伸長式取り付け部を含む、以下同）とした棒状物の取り付け部付きクリップに関する考案で、食卓の下に取り付けた断面が円形の棒に取り付け、棒状物にナプキンなどを取り付けてこぼれた食べ物による衣服の汚れと床の汚れの両方を防止することなどに用いる用具に関する考案である。
【背景技術】
【０００２】クリップの用い方には物品の取り付け、物品の連結の用い方がある。クリップ付きの棒もある。
【考案の概要】
【考案が解決しようとする課題】
【０００３】断面が円形の棒への棒状物の取り付けで、着脱式で棒状物を簡単に素早く且つ強固に取り付け出来ること。棒状物の取り付け位置を簡単に素早く変えることが出来ること。取り付けたまま棒状物が棒の外周に密接して回転出来ること。手を放すと棒状物の位置、角度が保持され保持力が強いこと。
【課題を解決するための手段】
【０００４】目玉クリップとダブルクリップは、挟み口の形状が断面が円形の棒を包み込むように、掴むように挟む形状で、バネの力が非常に強く、バネの力が非常に強くてもレバーの使用で容易に挟み口を開閉でき、また棒状物または棒状物の取り付け部を容易に作ることが出来る形状になっている。目玉クリップまたはダブルクリップの挟み口、挟み口の二枚の金属板を繋ぐ部分の金属板、レバ―のいずれかの一部位を延ばし棒状物とした棒状物付きクリップ（クリップの一部が棒状物になっているクリップ）、または目玉クリップのレバーを延長して棒状物の取り付け部とした、棒状物の取り付け部付き目玉クリップ、またはこれらに類似な形状のクリップを作る。
【考案の効果】
【０００５】食卓の下に断面が円形の棒を取り付け、その棒にこれらのクリップを用いて着脱式で棒状物を取り付け、棒状物にナプキンなどを取り付けると、こぼれた食べ物による衣服の汚れと床の汚れの両方を防ぐことが出来る。コンパクトな用具で、狭い空間に取り付け出来、棒状物の持つ機能を発揮させることが出来る。
【図面の簡単な説明】
【０００６】
【図１】目玉クリップのレバーを延長して伸長式で棒状物を取り付ける棒状物の取り付け部とし、そこに棒状物を取り付けた目玉クリップを上から見た図である。
【図２】目玉クリップのレバーを延長して伸長式で棒状物を取り付ける棒状物の取り付け部とし、そこに棒状物を取り付けた目玉クリップを横から見た図で、クリップ付近の図である。
【図３】ダブルクリックの挟み口の一部位を延ばし棒状物とした棒状物付きダブルクリップを横から見た図で、クリップ付近の図である。（ダブルクリックのレバーは跳ね上げ出来、また取り外しも出来る構造になっている。）
【図４】ダブルクリップの挟み口の一部位を延ばし棒状物とした棒状物付きダブルクリップを上から見た図で、クリップ付近の図である。
【図５】ダブルクリップの挟み口の二枚の金属板を繋ぐ部分の金属板の一部位を延ばし棒状物とした棒状物付きダブルクリックを横から見た図で、クリック付近の図である。
【図６】ダブルクリップの挟み口の二枚の金属板を繋ぐ部分の金属版の一部位を延ばし棒状物とした棒状物付きダブルクリックを上から見た図で、クリック付近の図でレバーを取り外したものの図である
【符号の説明】
【０００７】    １  挟み口
２  棒状物の取り付け部
３  棒状物
４  レバー
５  ストッパー
６  挟み口の二枚の金属板を繋ぐ部分の金属板
７  当て金
８  二枚の金属板の止め付けネジ
【図１】
0003213047.tif 000003
【図２】
0003213047.tif 000004
【図３】
0003213047.tif 000005
【図４】
0003213047.tif 000006
【図５】
0003213047.tif 000007
【図６】
0003213047.tif 000008
【手続補正書】
【提出日】平成29年6月1日(2017.6.1)
【手続補正１】
【補正対象書類名】実用新案登録請求の範囲
【補正対象項目名】全文
【補正方法】変更
【補正の内容】
【実用新案登録請求の範囲】
【請求項１】
形状の一部が棒状物または棒状物の取り付け部になっている目玉クリップまたはダブルクリップであって、目玉クリップまたはダブルクリップの挟み口、挟み口の二枚の金属板を繋ぐ部分の金属板、レバーのいずれかの一部位を延ばして棒状物とした、形状の一部が棒状物になっている棒状物付き目玉クリップ、またはダブルクリップ。
【請求項２】
形状の一部が棒状物または棒状物の取り付け部になっている目玉クリップまたはダブルクリップであって、目玉クリップのレバーの一部位を延長して棒状物の取り付け部とした、形状の一部が棒状物の取り付け部になっている、棒状物の取り付け部付き目玉クリップ。
【手続補正書】
【提出日】平成29年8月2日(2017.8.2)
【手続補正１】
【補正対象書類名】実用新案登録請求の範囲
【補正対象項目名】請求項２
【補正方法】変更
【補正の内容】
【請求項２】
形状の一部が棒状物または棒状物の取り付け部になっている目玉クリップであって、目玉クリップのレバーの一部位を延長して棒状物の取り付け部とした、形状の一部が棒状物の取り付け部になっている、棒状物の取り付け部付き目玉クリップ。
(57)【要約】      （修正有）【課題】ズボンの腰ゴムが伸び緩んでしまっても、ズボンがズリ落ちる心配がない腰ベルトを提供する。【解決手段】両端にアジャスター３、４を備えて長さ調節ベルトで長さ調節する腰ベルトであって、長さ調節ベルトに連なるメインベルト帯１の長手両端域において、中央側から短手辺側へ向かって徐々に絞り状に幅を狭めて長さ調節帯５の幅に合わせて連なっている絞り部２が設けてあることを特徴とする。【選択図】図１
0003213071.tif 000002
【実用新案登録請求の範囲】
【請求項１】
両端にアジャスターを備えて長さ調節する腰ベルトにおいて、
幅広のメインベルト帯と、その長手両端に、メインベルト帯より少し幅狭状に形成された長さ調節帯を備える腰ベルトであって、
メインベルト帯の両端域において、中央側から短手辺側へ向かって徐々に絞り状に幅を狭めて長さ調節帯の幅に合わせて連なっている絞り部が設けてあり、長さ調節帯がアジャスター凸及びアジャスター凹を介して、自由に長さ調節されるに伴って、
メインベルトの長手縁辺沿いが、その両縁辺間の長手中央域よりも不均等により強い押圧を生じることにより、腰ゴムの伸び緩んだズボンでも、ズリ落ちる心配がないことを特徴とする腰ベルト。
【考案の詳細な説明】
【技術分野】
【０００１】  本考案は、ズボンのゴムが伸びてズリ落ちるのを防ぐため、外から簡単に締め圧して固定するベルトに関する。
【背景技術】
【０００２】  従来、伸びてしまったジャージ等は、ゴムを付け替えるか、紐で縛ったりして再着用していた。
【考案の概要】
【考案が解決しようとする課題】
【０００３】  （イ）ゴムを付け替えるのはとても面倒であった。
（ロ）ジャージには、一般にベルトを通す穴（ベルト通し）がない。
【課題を解決するための手段】
【０００４】  両端にアジャスターを備えて長さ調節する腰ベルトにおいて、
幅広のメインベルト帯と、その長手両端に、メインベルト帯より少し幅狭状に形成された長さ調節帯を備える腰ベルトである。
メインベルト帯の両端域において、中央側から短手辺側へ向かって徐々に絞り状に幅を狭めて長さ調節帯の幅に合わせて連なっている絞り部が設けてあり、長さ調節帯がアジャスター凸及びアジャスター凹を介して、自由に長さ調節されるに伴って、
メインベルトの長手縁辺沿いが、その両縁辺間の長手中央域よりも不均等により強い押圧を生じることにより、腰ゴムの伸び緩んだズボンでも、ズリ落ちる心配がない。
以上を特徴とする腰ベルトである。
【考案の効果】
【０００５】  楽に簡単にワンタッチで長さ調節されるだけでなく、幅広のメインベルト帯が両端域に向かって幅を狭めつつ絞られていく絞り部が設けてあるため、メインベルト帯は、均等な締め付けでなく、長手両辺間の中央から長手縁辺の両側へ向かって程よく強い締め付け度合いが生じるので、ズボンのゴムが緩んでいても、腰ベルトの中央部よりも不均等により強く締め付ける外圧により、ズボンがズリ落ちることがない。
【図面の簡単な説明】
【０００６】
【図１】  本考案の平面図
【考案を実施するための形態】
【０００７】  以下、本考案の実施の形態を説明する。
幅広のメインベルト帯（１）と、その長手両端において、メインベルト帯（１）より少し幅狭状に備わる長さ調節帯（５）と、長さ調節帯（５）の外側末端域に設けたアジャスターから成る腰ベルトである。
メインベルト帯（１）の両端域において、中央側から短手辺側へ向かって徐々に絞り状に幅を狭めて長さ調節帯（５）の幅に合わせて連なっている絞り部（２）が設けてあり、長さ調節帯（５）はアジャスター凸（４）及びアジャスター凹（３）を介して、自由に長さ調節が出来る。
本考案を使用する時は、アジャスター凸（４）とアジャスター凹（３）とを嵌め合わせながら長さ調節帯（５）で丁度フィットする締め付け具合の長さに調節すると、ズボンの腰ゴムの外側を覆った本考案になる腰ベルトのメインベルト帯（１）において、両端が相互反対方向に引っ張られる力が、その両端域の各絞り部（２）を介して、長手中央域面よりもその両サイドの長手縁辺沿いに、より強い不均等な押圧がかかる様になるため、ズボンの腰ゴムが緩んでいてもズボンがズリ落ちないようにしっかり保持されることができる。
【符号の説明】
【０００８】１  メインベルト帯
２  絞り部
３  アジャスター凹
４  アジャスター凸
５  長さ調節帯
【図１】
0003213071.tif 000003
(57)【要約】 【課題】本考案は、野生動物保護のためにも、象牙や牛の角などの動物性素材を使った印章に代わるものとして、同等の強度を持ち、既存の設備や手作業での彫刻技術が生かせて、耐久性も高く、装飾性にも優れた印章を提供することを目的とする。【解決手段】 本考案は、軽量で高い強度を持つ素材として使われている炭素繊維強化プラスチック(ＣＦＲＰ)を棒材に成型し、その周囲に、炭素繊維を格子状に織ったカーボンクロスを巻き、装飾性と強度を高めた印章を提供することにより、耐久性に優れた印章が製作出来、また、手作業による彫刻も行えるため、既存の設備や技術を使うことができる。【選択図】   図３
0003213079.tif 000002
【実用新案登録請求の範囲】
【請求項１】
炭素繊維を樹脂で固めた丸棒に、炭素繊維を格子状に織ったカーボンクロスを周囲と上端部に巻いたことを特徴とする印章。
【考案の詳細な説明】
【技術分野】
【０００１】
本考案は、印章として使用される円柱形や角柱形の印章に関するものである。
【背景技術】
【０００２】
印章には、古くは、石や金などの金属をはじめ、木材、動物の牙や角、そして最近で
プラスチックやチタンなどの材質のものも使われている。しかし、近年は野生動物保護
の気運も高まっており、これまで使われていた動物の牙や角などは敬遠する動きが強ま
っている。特に象牙はショッピングセンターやインターネットでの販売が制限されつつ
ある。このような中、石やチタンなどの金属では、専用の設備が必要なため、従来から
行われている手作業による彫刻や、多くの印章店が持っている設備での彫刻に適さない。
【０００３】
また、木材やアクリルなどのプラスチックでは耐久性が劣るという問題がある。
【先行技術文献】
【特許文献】
【０００４】
【特許文献１】実用新案登録第３１５６２６６号公報
【考案の開示】
【考案が解決しようとする課題】
【０００５】
本考案は、動物素材に代わる印章として、手作業でも彫刻でき、耐久性も高く、装飾性にも優れた印章を提供することを目的とする。
【課題を解決するための手段】
【０００６】
本考案は、軽量で高い強度を持つ素材として、航空・宇宙分野やスポーツ用具等に多く
使われている炭素繊維強化プラスチック(以下、ＣＦＲＰと表記する)を棒材にして、その
周囲を同じく炭素繊維を格子状に織ったカーボンクロスで巻き、装飾と強度を高めた印章を作製する。
【考案の効果】
【０００７】
ＣＦＲＰは、機械による彫刻や手作業による彫刻も出来るので、印章店が持つ既存の
設備や手彫りの技術を生かすことができる。また、強度も木材やアクリル等のプラスチッ
クよりも高く耐久性に優れている。更に、周囲にカーボンクロスを巻くことにより装飾性が高められる。
【図面の簡単な説明】
【０００８】
【図１】本考案の印章に彫刻を施した斜視図。
【図２】本考案の構造を示す斜視図。
【図３】本考案の構造を示す断面図。
【考案を実施するための形態】
【０００９】
炭素繊維を樹脂で固めた棒材４の周囲に、炭素繊維を格子状に織ったカーボンクロス２を周囲に巻き、樹脂で固着する。
【００１０】
上端部にも装飾用にカーボンクロス３を貼り、その上に樹脂５を盛り半円形の丸みを付る。
【実施例】
【００１１】
以下、添付図面に従って実施例を説明する。
図１は、印面６に文字が彫刻された印章全体１を表す。
図２は、ＣＦＲＰの棒材４と、周囲に巻くカーボンクロス２と、上端部へ貼るカーボン
クロス３を表す。
図３は、断面図で、ＣＦＲＰの棒材４と、周囲に巻かれたカーボンクロス２と、上端部
に貼られたカーボンクロス３と、その上に半円形に盛られた樹脂５を表す。
【符号の説明】
【００１２】
１  カーボンクロスが巻かれた印章全体
２  周囲に巻くカーボンクロス
３  上端部に貼るカーボンクロス
４  ＣＦＲＰの棒材
５  上端部に半円形に盛った樹脂
６  印面部
【図１】
0003213079.tif 000003
【図２】
0003213079.tif 000004
【図３】
0003213079.tif 000005
(57)【要約】      （修正有）【課題】踵の箇所をガードすることによりそこを固定・保護するだけでなく、それによって膝や腰回りなどの不自然な体勢、動きなどを改善サポートすることにより、様々な痛み疾患などのトラブルや作業、スポーツ等に対処できる足首サポーターを提供する。【解決手段】二次元的に鋭角状に屈曲した略コ字状の屈曲箇所に面状ファスナー２を設けた帯状体を長帯部Ａ、略Ｉ字状の少なくとも両端箇所に対応する面状ファスナーを設けた帯状体を短帯部Ｂとするセットからなる素材本体において、長帯部の両端箇所１ａを予め固定連結して三次元的リング体とし、リング体の長径方向両端部を折り畳んで二次元的形状にするとともに略Ｉ字状短帯部をこれに重ねてセット化する。使用時は、足裏後部に装着した短帯部と足首に巻回したリング体の長帯部を面状ファスナーで接合し、踵を固定保護する。【選択図】図１
0003213218.tif 000002
【実用新案登録請求の範囲】
【請求項１】
二次元的に鋭角状に屈曲した略コ字状の屈曲箇所に面状ファスナーを設けた帯状体を長帯部、略Ｉ字状の少なくとも両端箇所に対応する面状ファスナーを設けた帯状体を短帯部とするセットからなる素材本体において、該長帯部の両端箇所を予め固定連結して三次元的リング体とし、該リング体の長径方向両端部を折り畳んで二次元的形状にするとともに略Ｉ字状短帯部をこれに重ねてセット化したことを特徴とする足首サポーター。
【考案の詳細な説明】
【技術分野】
【０００１】この考案は、日常生活における姿勢や歩行を改善したりスポーツパフォーマンスを向上させるための足首サポーターに関する。
【背景技術】
【０００２】人間は全体重を両足で支えて直立歩行をする一方、仕事やスポーツ、或いは日常の生活習慣などから不自然な姿勢や無理な体勢で過ごしがちで、その結果、多くの人が腰から足にかけての様々なトラブルに悩まされているのが現状である。【０００３】その対策として、身体に装着するものとしては、腰回り、膝回りやふくらはぎ、或いはそこから踵にかけてを伸縮性の布地などで取り巻くタイプのものが数多く出回っている。
【考案の開示】
【考案が解決しようとする課題】
【０００４】このような在来のサポーター類の多くは、動きのある身体をサポートするため、広い面積の伸縮性シートで痛みのある箇所の回りを広く取り巻く形態のものとなっている。従ってそのためのコスト負担が嵩むだけでなく、着脱に手間取ったり長時間の着用に違和感があるなどの問題点があった。【０００５】本考案はかかる問題点を解決するために、直立歩行する人体構造の要になっている踵の部分に注目して、その箇所をガードすることによりそこを固定・保護するだけでなく、それによって膝や腰回りなどの不自然な体勢、動きなどを改善することにより、様々な痛みトラブルやスポーツ等に対処することを課題とする。
【課題を解決するための手段】
【０００６】二次元的に鋭角状に屈曲した略コ字状の屈曲箇所に面状ファスナー２を設けた帯状体１を長帯部Ａ、略Ｉ字状の少なくとも両端箇所に対応する面状ファスナー２を設けた帯状体１を短帯部Ｂとするセットからなる素材本体において、該長帯部Ａの両端箇所１ａを予め固定連結して三次元的リング体とし、該リング体の長径方向両端部を折り畳んで二次元的形状にするとともに略Ｉ字状短帯部Ｂをこれに重ねてセット化し、本考案の足首サポーターとする。【０００７】すなわち非装着時には上記のように面状ファスナー２が片面ずつ設けられた屈曲箇所が鋭角状である略コ字状長帯部Ａと略Ｉ字状短帯部Ｂとから成る２個の二次元形状の帯状体１の素材セットから構成されるが（図１）、その略コ字状長帯部Ａの両端箇所１ａを縫製等により固定連結すると三次元的リング体となり（リング体は内径より外径が大きいので円錐状になろうとする）、帯状体は柔らかいので図２のようになったりする。【０００８】これの長径方向両端部を折り畳むと（図３〜図５）、その両横側は略コ字の直線部に相当するから、いとも簡単に図のような二次元状に折り畳むことができる。
【考案の効果】
【０００９】このように本考案の製品形態はすこぶるコンパクト化することができるが、これを図６のように足首箇所をガードするサポーターとして使用する場合も、面状ファスナー２により接合位置を微調整しつつ簡単に装着することができる。【００１０】本考案によれば、足の踵部という動きの少ない小さな部位に装着するのみで、着用に伴う大きな負担や違和感なく身体全体の歪み等を適正化させるのに役立ち、またそれにより疲労や悪化した生活習慣の弊害改善にも貢献できる効果がある。
【考案を実施するための形態】
【００１１】細メッシュで若干の厚みとクッション性を有する網状生地を図のような鋭角状に屈曲した略コ字状に裁断し縁取り縫製してこれを帯状体１の長帯部Ａとし、その屈曲箇所に面状ファスナー２を縫い付けて設ける。また同様の網状生地を同じく略Ｉ字状に作成して帯状体１の短帯部Ｂとし、その片面両端箇所又は全長にわたり対応する面状ファスナー２を設ける。該長帯部Ａの両端箇所１ａを縫製により固定連結して三次元的リング体とし、該リング体の長径方向両端部を折り畳んで二次元的形状にするとともに略Ｉ字状短帯部Ｂをその中央部に重ねてセットにした製品にする。なお本考案はかかる実施形態に限定されるものではない。
【産業上の利用可能性】
【００１２】本考案は使用感が良くてニーズも多く、量産可能であるので産業上の利用可能は十分にある。
【図面の簡単な説明】
【００１３】
【図１】本考案素材セットの平面図
【図２】本考案素材長帯部の両端を固定連結したときの態様を示す平面図
【図３】図２の上下端を折り畳んだときの平面図
【図４】図３に本考案素材短帯部を重ねたときの平面図
【図５】図４を裏側から見た別形態の平面図
【図６】本考案の装着時を示す見取図
【符号の説明】
【００１４】１……帯状体      Ａ……長帯部      Ｂ……短帯部
２……面状ファスナー
１ａ……長帯部Ａの両端箇所
【図１】
0003213218.tif 000003
【図２】
0003213218.tif 000004
【図３】
0003213218.tif 000005
【図４】
0003213218.tif 000006
【図５】
0003213218.tif 000007
【図６】
0003213218.tif 000008
(57)【要約】      （修正有）【課題】踵の箇所をガードすることによりそこを固定・保護するだけでなく、それによって膝や腰回りなどの不自然な体勢、動きなどを改善サポートすることにより、様々な痛み疾患などのトラブルや作業、スポーツ等に対処できる足首サポーターを提供する。【解決手段】緩やかに湾曲した略Ｃ字状の長帯部Ａと略Ｉ字状の短帯部Ｂとから成るバンド体１において、短帯部Ｂはその端を長帯部Ａの適宜部位で垂伸状になるように固着もしくは面状ファスナー２で連結し、長帯部Ａの両端に面状ファスナー２を設けて足首を囲むリング体を形成できるようにするとともに、短帯部Ｂの先端に面状ファスナー２を設けてこれに対応する面状ファスナー２を長帯部Ａの対向位置に設け、装着時には面状ファスナー２を止着することにより足裏後部と足甲後部と踵後上部を帯状に覆う三次元形状のバンド体１と成るようにする。【選択図】図３
0003213217.tif 000002
【実用新案登録請求の範囲】
【請求項１】
緩やかに湾曲した略Ｃ字状の長帯部と略Ｉ字状の短帯部とから成るバンド体において、該短帯部はその端を該長帯部の適宜部位で垂伸状になるように固着もしくは面状ファスナーで連結し、該長帯部の両端に面状ファスナーを設けて足首を囲むリング体を形成できるようにするとともに、該短帯部の先端に面状ファスナーを設けてこれに対応する面状ファスナーを長帯部の対向位置に設け、装着時には該面状ファスナーを止着することにより足裏後部と足甲後部と踵後上部を帯状に覆う三次元形状のバンド体と成ることを特徴とする足首サポーター。
【考案の詳細な説明】
【技術分野】
【０００１】この考案は、日常生活における姿勢や歩行を改善したりスポーツパフォーマンスを向上させるための足首サポーターに関する。
【背景技術】
【０００２】人間は全体重を両足で支えて直立歩行をする一方、仕事やスポーツ、或いは日常の生活習慣などから不自然な姿勢や無理な体勢で過ごしがちで、その結果、多くの人が腰から足にかけての様々なトラブルに悩まされているのが現状である。【０００３】その対策として、身体に装着するものとしては、腰回り、膝回りやふくらはぎ、或いはそこから踵にかけてを伸縮性の布地などで取り巻くタイプのものが数多く出回っている。
【考案の開示】
【考案が解決しようとする課題】
【０００４】このような在来のサポーター類の多くは、動きのある身体をサポートするため、広い面積の伸縮性シートで痛みのある箇所の回りを広く取り巻く形態のものとなっている。従ってそのためのコスト負担が嵩むだけでなく、着脱に手間取ったり長時間の着用に違和感があるなどの問題点があった。【０００５】本考案はかかる問題点を解決するために、直立歩行する人体構造の要になっている踵の部分に注目して、その箇所をガードすることによりそこを固定・保護するだけでなく、それによって膝や腰回りなどの不自然な体勢、動きなどを改善することにより、様々な痛みトラブルやスポーツ等に対処することを課題とする。
【課題を解決するための手段】
【０００６】図１のような装着した場合に対応する被装着時の形状の例として掲げたのが図２及び図３である。すなわち装着時には足裏後部と足甲後部と踵後上部を帯状に覆うように形成される三次元形状のバンド体１から成り、非装着時には、緩やかに湾曲した略Ｃ字状の長帯部Ａと略Ｉ字状の短帯部Ｂとから成るバンド体１において、短帯部Ｂはその端を長帯部Ａの適宜部位で垂伸状になるように固着もしくは面状ファスナー２で連結し、長帯部Ａの両端に面状ファスナー２を設けて足首を囲むリング体を形成できるようにするとともに、短帯部Ｂの先端に面状ファスナー２を設けてこれに対応する面状ファスナー２を長帯部Ａの対向位置に設け、装着時には面状ファスナー２を止着することにより足裏後部と足甲後部と踵後上部を帯状に覆う三次元形状のバンド体１と成るようにする。【０００７】なお、図では長帯部Ａの垂伸状に連結させる適宜部位として、全長の片端より約４分の１の箇所を例示したが、この場合は、他端より約４分の１の箇所に面状ファスナー２を取り付けておくことにより、その箇所で足裏を横切った短帯部Ｂの先部に取り付けてある面状ファスナー２を固定して足裏を支えるとともに、長帯部Ａは足首を取り巻いて前方の足甲部で両端の面状ファスナー２で微調整しつつ貼着固定することになる。微調整や固定は前方がやり易いことを考慮している。【０００８】但し本考案の基本コンセプトはそれに限られているわけではない。すなわち、垂伸状固定部位は片端部でも中央部であってもよく、また例えばそこを予め縫い付けもしくは一体成型により非分離の一体物にした製品形態もあり得る。
【考案の効果】
【０００９】本考案によれば、足の踵部という動きの少ない小さな部位に装着するのみで、着用に伴う大きな負担や違和感なく身体全体の歪み等を適正化させるのに役立ち、またそれにより疲労や悪化した生活習慣の弊害改善にも貢献できる効果がある。
【考案を実施するための形態】
【００１０】図２で例示したような長短二本の帯状バンド体１において、長帯部Ａは厚さ１〜２ｍｍ、幅約３ｃｍ、長さ約３０ｃｍの緩やかな円弧状とし、短帯部Ｂは厚さ１〜２ｍｍ、幅約３ｃｍ、長さ約１５ｃｍとする。長帯部Ａの両端にはこれをリング状に固定連結するための面状ファスナー２を、片方は表側に雄面、他方は裏側に雌面になるように取り付け、また両端からそれぞれ１／４の箇所にも別の面状ファスナー２を設けて、短帯部Ｂの両端部にも設けた面状ファスナー２に対応できるようにしておく。なお、短帯部Ｂの片端は長帯部Ａの端から１／４の箇所より垂伸状になるように予め縫製等により固定状に取り付ける。また取り付ける箇所は必ずしも上記の位置に限らず、寸法も足の大きさ等に応じて別規格もあり得るので、本考案の最良の実施形態は、必ずしも一つに限定されるものではない。
【産業上の利用可能性】
【００１１】本考案は使用感が良くてニーズも多く、量産可能であるので産業上の利用可能は十分にある。
【図面の簡単な説明】
【００１２】
【図１】装着時における本考案一例の見取図
【図２】非装着時における本考案一例一形態の正面図
【図３】非装着時における本考案一例別形態の正面図
【符号の説明】
【００１３】  １……バンド体          Ａ……長帯部          Ｂ……短帯部
２……面状ファスナー
【図１】
0003213217.tif 000003
【図２】
0003213217.tif 000004
【図３】
0003213217.tif 000005